(57)【要約】【課題】誤設定又は誤操作の抑制方法を改善した電子機器を提供する。【解決手段】電子機器１００は、入力部４２と、記録部６１１と、特定部６１２とを備える。記録部６１１は、入力部４２に入力されたジョブおよびジョブの設定を履歴データに記録する。特定部６１２は、入力部４２に入力されたジョブおよびジョブの設定に基づいて、記録部６１１の履歴データの中から再設定操作を特定する。記録部６１１の履歴データには、第１ジョブのジョブ名と、キャンセル操作後に第１ジョブを再設定した再設定操作とが対応付けて記録されている。第２ジョブ又は第２ジョブのうちの少なくとも一方が入力部４２に入力された場合、特定部６１２は、履歴データの中から、第２ジョブ名と同じ第１ジョブ名に対応付けられた再設定操作を特定する。【選択図】図２
2020078013.tif 000002
【特許請求の範囲】
【請求項１】
ジョブおよび前記ジョブの設定が入力される入力部と、
前記入力部に入力された前記ジョブおよび前記ジョブの設定を履歴データに記録する記録部と、
前記入力部に入力された前記ジョブおよび前記ジョブの設定に基づいて、前記記録部の前記履歴データの中からデータを特定する特定部と
を備え、
前記記録部の前記履歴データには、前記入力部に入力された第１ジョブのジョブ名と、前記第１ジョブが完了する前に前記第１ジョブをキャンセルしたキャンセル操作と、前記キャンセル操作後に前記第１ジョブを再設定した再設定操作とが対応付けて記録されており、
第２ジョブおよび前記第２ジョブの設定のうちの少なくとも一方が前記入力部に入力された場合、前記特定部は、前記履歴データの中から、前記第２ジョブと同じジョブ名の前記第１ジョブのジョブ名に対応付けられた前記再設定操作を特定する、電子機器。
【請求項２】
前記特定部によって特定されたデータに基づいて警告を報知する警告部を更に備え、
前記第２ジョブおよび前記第２ジョブの設定のうちの少なくとも一方が前記入力部に入力された場合、前記特定部は、前記履歴データの中から、前記第２ジョブと同じジョブ名の前記第１ジョブのジョブ名に対応付けられた前記再設定操作を特定し、前記警告部は、前記再設定操作の内容に基づく警告を報知する、請求項１に記載の電子機器。
【請求項３】
前記特定部は、前記履歴データの中から、前記キャンセル操作と、前記キャンセル操作に対応付けられている前記ジョブ名および前記再設定操作とを特定し、
前記キャンセル操作に基づいて、前記第２ジョブおよび第２ジョブの設定のうちの少なくとも一方の入力に関して制限する制限部を更に備える、請求項１に記載の電子機器。
【請求項４】
前記特定部は、前記履歴データの中から、前記キャンセル操作の回数を特定し、
前記制限部は、前記キャンセル操作の回数に基づいて、前記第２ジョブおよび前記第２ジョブの設定のうちの少なくとも一方の入力の回数を制限するように前記入力部を制御する、請求項３に記載の電子機器。
【請求項５】
操作用の画面を表示する表示部を更に備え、
前記特定部は、前記履歴データの中から、前記キャンセル操作の回数を特定し、
前記制限部は、前記キャンセル操作の回数に基づいて、前記第２ジョブおよび前記第２ジョブの設定のうちの少なくとも一方の入力のための操作用の画面を制限して表示するように前記表示部を制御する、請求項３に記載の電子機器。
【請求項６】
前記入力部にジョブを入力するユーザーを識別するためのユーザー識別データを読み取る読取部を更に備え、
前記記録部には、前記第１ジョブのジョブ名に対応付けて、前記第１ジョブを入力したユーザーの識別データが更に記録されており、
前記第２ジョブが前記入力部に入力された場合、前記特定部は、前記履歴データの中から、前記第２ジョブと同じジョブ名の前記第１ジョブのジョブ名、かつ、前記第２ジョブを入力したユーザーの識別データと同じ識別データに対応づけられた前記再設定操作を特定し、前記警告部は、前記再設定操作の内容に基づく警告を報知する、請求項２に記載の電子機器。
【請求項７】
前記記録部の履歴データには、前記第１ジョブのジョブ名に対応付けて、前記第１ジョブに含まれる複数の動作モードのうちの前記キャンセル操作に対応する１つの動作モードが更に記録されており、
前記第２ジョブが前記入力部に入力された場合、前記特定部は、前記履歴データの中から、前記第２ジョブと同じジョブ名の前記第１ジョブのジョブ名、前記再設定操作および前記１つの動作モードを特定し、前記警告部は、前記再設定操作と前記１つの動作モードに基づいて、前記警告を報知する、請求項６に記載の電子機器。
【請求項８】
前記記録部の前記履歴データには、前記第１ジョブのジョブ名に対応付けて、前記第１ジョブのデフォルト設定に対して変更された変更設定が更に記録されており、
前記第２ジョブの設定が前記入力部に入力された場合、前記特定部は、前記履歴データの中から、前記第２ジョブのデフォルト設定に対する変更設定が前記第１ジョブのデフォルト設定に対する変更設定と一致することを特定し、前記第２ジョブと同じジョブ名の前記第１ジョブのジョブ名に対応付けられた前記再設定操作を特定すると、前記警告部は、前記再設定操作の内容に基づく警告を報知する、請求項６又は７に記載の電子機器。
【請求項９】
前記入力部にジョブを入力するユーザーを識別するためのユーザー識別データを読み取る読取部を更に備え、
前記記録部の前記履歴データには、前記第１ジョブのジョブ名に対応づけて、前記第１ジョブのデフォルト設定に対して変更された変更設定および前記第１ジョブを入力したユーザーの識別データが更に記録されており、
前記第２ジョブの設定が前記入力部に入力された場合、前記特定部が、前記履歴データの中から、前記第２ジョブを入力したユーザーの識別データと同一の識別データに対応づけられた前記再設定操作がなかったことを判定すると、前記警告部は、原稿を設置したタイミングで所定の警告を報知する、請求項８に記載の電子機器。
【請求項１０】
前記特定部が、前記履歴データから、前記第２ジョブのデフォルト設定に対する変更設定が前記第１ジョブのデフォルト設定に対する変更設定と一致する場合、前記第２ジョブのデフォルト設定を終えたタイミングで特定の警告を報知する、請求項６又は７に記載の電子機器。
【請求項１１】
電子機器における誤操作抑制方法であって、
第１ジョブおよび前記第１ジョブの設定を入力するステップと、
前記第１ジョブをキャンセルするステップと、
前記第１ジョブを再設定するステップと、
記録部の履歴データに、前記入力部に入力された第１ジョブを示すジョブ名と、前記第１ジョブが完了する前に前記第１ジョブをキャンセルしたキャンセル操作と、前記キャンセル操作後に前記第１ジョブを再設定した再設定操作とを対応付けて記録するステップと、
第２ジョブおよび前記第２ジョブの設定を入力するステップと、
前記履歴データの中から、前記第２ジョブと同じジョブ名の前記第１ジョブのジョブ名に対応付けられた前記再設定操作を特定するステップと
を包含する、誤操作抑制方法。
【発明の詳細な説明】
【技術分野】
【０００１】
本発明は、電子機器および誤操作抑制方法に関する。
【背景技術】
【０００２】
従来、印刷処理を実行する際に、過去に入力された印刷条件と新たに入力した印刷条件との照合に基づいてユーザーに警告することにより、誤設定又は誤操作を抑制する技術が提案されている（例えば、特許文献１）。
【先行技術文献】
【特許文献】
【０００３】
【特許文献１】特開２００４−１５７６８０号公報
【発明の概要】
【発明が解決しようとする課題】
【０００４】
しかしながら、特許文献１の技術は、過去の設定条件と今回の設定条件とを単純に比較して警告するものであり、ユーザー側の種々の状況に対応しているとはいえず、誤設定又は誤操作を抑制する技術としては、改善の余地がある。
【０００５】
本発明は上記課題に鑑みてなされたものであり、その目的は、誤設定又は誤操作の抑制方法を改善した電子機器および誤操作抑制方法を提供することにある。
【課題を解決するための手段】
【０００６】
本発明に係る電子機器は、入力部と、記録部と、特定部とを備える。前記入力部は、ジョブおよび前記ジョブの設定が入力される。前記記録部は、前記入力部に入力されたジョブおよび前記ジョブの設定を履歴データに記録する。前記特定部は、前記入力部に入力されたジョブおよび前記ジョブの設定に基づいて、前記記録部の前記履歴データの中からデータを特定する。前記記録部の前記履歴データには、前記入力部に入力された第１ジョブのジョブ名と、前記第１ジョブが完了する前に前記第１ジョブをキャンセルしたキャンセル操作と、前記キャンセル操作後に前記第１ジョブを再設定した再設定操作とが対応付けて記録されている。第２ジョブおよび前記第２ジョブの設定のうちの少なくとも一方が前記入力部に入力された場合、前記特定部は、前記履歴データの中から、前記第２ジョブと同じジョブ名の前記第１ジョブのジョブ名に対応付けられた前記再設定操作を特定する。
【０００７】
本発明に係る誤操作抑制方法は、電子機器における誤操作抑制方法であって、第１ジョブおよび前記第１ジョブの設定を入力するステップと、前記第１ジョブをキャンセルするステップと、前記第１ジョブを再設定するステップと、記録部の履歴データに、前記入力部に入力された第１ジョブを示すジョブ名と、前記第１ジョブが完了する前に前記第１ジョブをキャンセルしたキャンセル操作と、前記キャンセル操作後に前記第１ジョブを再設定した再設定操作とを対応付けて記録するステップと、第２ジョブおよび前記第２ジョブの設定を入力するステップと、前記履歴データの中から、前記第２ジョブと同じジョブ名の前記第１ジョブのジョブ名に対応付けられた前記再設定操作を特定するステップとを包含する。
【発明の効果】
【０００８】
本発明に係る電子機器および誤操作抑制方法によれば、誤設定又は誤操作の抑制方法を改善することが可能になる。
【図面の簡単な説明】
【０００９】
【図１】本発明の実施形態に係る画像形成装置の構成を示す概略図である。
【図２】画像形成装置の構成を示すブロック図である。
【図３】画像形成装置の機能の概要を示す模式図である。
【図４】画像形成装置の機能の詳細を示す模式図である。
【図５】履歴データの構成例を示すテーブルである。
【図６】ユーザーが実行するジョブ例を示すテーブルである。
【図７】（ａ）は、警告画面の一例を示す図である。（ｂ）は、第２例の警告メッセージを示す図である。（ｃ）は、第３例の警告メッセージを示す図である。
【図８】履歴データ取得処理を示すフローチャートである。
【図９】誤操作抑制処理を示すフローチャートである。
【図１０】警告メッセージ決定処理を示すフローチャートである。
【図１１】第２実施形態の誤操作抑制処理を示すフローチャートである。
【図１２】（ａ）は、第３実施形態のメッセージ画面の一例を示す図である。（ｂ）は、第３実施形態の制限表示画面の一例を示す図である。
【図１３】第３実施形態の入力制限処理を示すフローチャートである。
【発明を実施するための形態】
【００１０】
以下、本発明の実施形態について、図面（図１〜図１３）を参照しながら説明する。なお、図中、同一又は相当部分については同一の参照符号を付して説明を繰り返さない。
【００１１】
（第１実施形態）
図１および図２を参照して、本実施形態に係る画像形成装置１００の構成について説明する。図１は、画像形成装置１００の構成を示す概略図である。画像形成装置１００は、ユーザーによって指示されたジョブを実行するカラー複合機である。ここで、ジョブとは、画像形成装置１００が提供可能な機能である。具体的には、コピー機能を提供するコピージョブ、スキャナー機能を提供するスキャンジョブ等が該当する。なお、画像形成装置１００は、「電子機器」の一例である。
【００１２】
画像形成装置１００は、ユーザーの誤操作を抑制するため、警告を報知する。具体的には、画像形成装置１００は、ユーザーがジョブをキャンセルした場合に、そのキャンセル前後の設定操作の内容を示す履歴データを記録する。更に、画像形成装置１００は、履歴データに基づいて、キャンセルに至ったジョブで行った設定と同様の設定をしたユーザーに、警告を報知する。
【００１３】
図１に示すように、画像形成装置１００は、画像形成ユニット１と、画像読取ユニット２と、原稿搬送ユニット３と、入出力部４と、通信部５と、制御部６とを備える。
【００１４】
画像形成ユニット１は、用紙Ｐに画像を形成する。画像読取ユニット２は、原稿Ｒの画像を読み取り、画像データを生成する。
【００１５】
原稿搬送ユニット３は、原稿Ｒを画像読取ユニット２に搬送する。原稿搬送ユニット３は、原稿検出部３２を有する。原稿検出部３２は、原稿の設置を検出する。具体的には、原稿検出部３２が原稿Ｒの設置を検出した場合に、原稿Ｒの設置を示す検出信号が制御部６に送信される。
【００１６】
入出力部４は、ユーザーから指示等を受け付ける。更に、入出力部４は、ユーザーに情報を報知する。通信部５は、画像形成装置１００のユーザーから指示された送信先に画像情報を送信する。制御部６は、画像データに基づいて、画像情報を生成する。更に、制御部６は、画像形成装置１００の各構成部分の動作を制御する。
【００１７】
画像形成ユニット１は、給紙部１２、搬送部Ｌ、トナー供給部１３、画像形成部１４、定着部１６および排出部１７を備える。画像形成部１４は、転写部１５を含む。
【００１８】
給紙部１２は、用紙Ｐを搬送部Ｌへ供給する。搬送部Ｌは、用紙Ｐを転写部１５および定着部１６を経由して排出部１７まで搬送する。
【００１９】
トナー供給部１３は、画像形成部１４にトナーを供給する。画像形成部１４は、用紙Ｐに画像を形成する。
【００２０】
転写部１５は、中間転写ベルト１５４を備える。画像形成部１４が、中間転写ベルト１５４上にシアン色、マゼンタ色、イエロー色、および黒色のトナー像を転写する。複数色のトナー像が中間転写ベルト１５４上で重畳され、中間転写ベルト１５４上に画像が形成される。転写部１５は、中間転写ベルト１５４上に形成された画像を、用紙Ｐ上に転写する。その結果、用紙Ｐに画像が形成される。
【００２１】
定着部１６は、用紙Ｐを加熱および加圧し、用紙Ｐに形成された画像を用紙Ｐに定着する。排出部１７は、用紙Ｐを画像形成装置１００の外部へ排出する。
【００２２】
画像読取ユニット２は、画像読取部２１を備える。画像読取部２１は、原稿Ｒの画像を読み取り、画像データを生成する。画像読取部２１は、ＬＥＤ（Ｌｉｇｈｔ  Ｅｍｉｔｔｉｎｇ  Ｄｉｏｄｅ）、コンタクトガラス、結像レンズ、およびイメージセンサーを備え、これらの各部材が一体化されたＣＩＳ（Ｃｏｎｔａｃｔ  Ｉｍａｇｅ  Ｓｅｎｓｏｒ）ユニットである。
【００２３】
入出力部４は、表示部４１と、受付部４２と、カードリーダー４３とを有する。入出力部４は、例えば、タッチパネルを有する液晶ディスプレーを含む。
【００２４】
表示部４１は、操作用の画面を表示する。表示部４１は、図７（ａ）を参照して後述する、ユーザーに報知する警告を含む警告画面を表示する。更に、表示部４１は、図１２（ａ）を参照して後述する、ユーザーに報知するメッセージを含むメッセージ画面を表示する。また、表示部４１は、図１２（ｂ）を参照して後述する制限表示画面を表示する。なお、表示部４１は、「警告部」の一例である。
【００２５】
受付部４２は、画像形成装置１００のユーザーによる各種のタッチ操作を検知する。受付部４２は、タッチ操作を介してユーザーから操作又は指示を受け付ける。具体的には、受付部４２には、ジョブおよびジョブの設定が入力される。ジョブは、デフォルトの設定を含む。更に、受付部４２は、ジョブがキャンセルされた後に、ユーザーから変更設定を受け付ける。変更設定は、デフォルトの設定を変更する設定である。なお、受付部４２は、「入力部」の一例である。
【００２６】
更に、受付部４２は、第２ジョブおよび第２ジョブの設定のうちの少なくとも一方を受け付ける。ここで、「第２ジョブ」は、現時点において、ユーザーがこれから実行しようとするジョブを示す。また、「第２ジョブの設定」は、第２ジョブを実行するための設定を示す。
【００２７】
カードリーダー４３は、カードが記憶する情報を読み出す。例えば、カードリーダー４３は、ＩＣ（Ｉｎｔｅｇｒａｔｅｄ  Ｃｉｒｃｕｉｔ）カードが記憶する情報を読み出す。カードリーダー４３は、例えばＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）／ＩＥＣ（Ｉｎｔｅｒｎａｔｉｏｎａｌ  Ｅｌｅｃｔｒｏｔｅｃｈｎｉｃａｌ  Ｃｏｍｍｉｓｓｉｏｎ）１４４４３規格に基づき、ＩＣカードが記憶する情報を読み出す。具体的には、カードリーダー４３は、ＩＣカードから、受付部４２にジョブを入力するユーザーを識別するためのユーザー識別データを読み取る。なお、カードリーダー４３は、「読取部」の一例である。
【００２８】
通信部５は、同じ通信方式（プロトコル）を利用する電子機器との間で通信が可能である。本実施形態において、通信部５は、インターネットおよびＬＡＮ（Ｌｏｃａｌ  Ａｒｅａ  Ｎｅｔｗｏｒｋ）などのネットワーク網を介して、電子機器と通信する。通信部５は、制御部６の指示に応じて、ユーザーから指定された送信先に画像情報を送信する。通信部５は、例えば、ＬＡＮボードのような通信モジュールである。
【００２９】
制御部６は、ユーザーによってジョブがキャンセルされた場合に、キャンセルされたジョブに関する履歴データを生成する。更に、制御部６は、生成した履歴データを記録する。また、制御部６は、記録された履歴データを読み出し、履歴データに基づいて、ユーザーに警告を報知する。
【００３０】
図２は、画像形成装置１００の構成を示すブロック図である。図１を参照して説明したように、画像形成装置１００は、画像形成ユニット１と、画像読取ユニット２と、原稿搬送ユニット３と、入出力部４と、通信部５と、制御部６とを備える。図２を参照して、制御部６の機能について説明する。
【００３１】
図２に示すように、制御部６は、処理部６１と、記憶部６２とを備える。処理部６１は、例えば、プロセッサーである。プロセッサーは、例えばＣＰＵ（Ｃｅｎｔｒａｌ  Ｐｒｏｃｅｓｓｉｎｇ  Ｕｎｉｔ）である。処理部６１は、記憶部６２に記憶された制御プログラムを実行することによって、画像形成装置１００の各構成部分の動作を制御する。
【００３２】
記憶部６２は、各種のデータおよび制御プログラムを記憶する。具体的には、記憶部６２は、処理部６１の指示に応じて、履歴データを記録する。記憶部６２は、「記録部」の一例である。
【００３３】
記憶部６２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、および／又はソリッドステートドライブ（Ｓｏｌｉｄ  Ｓｔａｔｅ  Ｄｒｉｖｅ：ＳＳＤ）によって構成される。記憶部６２は、外部メモリーを含んでいてもよい。外部メモリーは、リムーバブルメディアである。記憶部６２は、外部メモリーとして、例えば、ＵＳＢ（Ｕｎｉｖｅｒｓａｌ  Ｓｅｒｉａｌ  Ｂｕｓ）メモリー、および／又はＳＤ（Ｓｅｃｕｒｅ  Ｄｉｇｉｔａｌ）カードを含んでもよい。
【００３４】
記憶部６２には、処理部６１の指示に応じて、履歴データが記録される。具体的には、記憶部６２には、受付部４２を介して入力されたジョブおよびジョブの設定を含む履歴データが記録される。更に、記憶部６２には、第１ジョブのジョブ名に対応付けて、第１ジョブを入力したユーザーの識別データが記録される。
【００３５】
更に、記憶部６２の履歴データには、第１ジョブのジョブ名に対応付けて、第１ジョブに含まれる複数の動作モードのうちのキャンセル操作に対応する１つの動作モードが更に記録されていてもよい。具体的には、コピージョブに含まれる読取モードと出力モードとのうち、読取モードでキャンセルキーが押下された場合は、読取モードが記録される。例えば、コピージョブの場合は、読取モードと出力モードとを含む。読取モードは、原稿Ｒを読み取るモードである。また、出力モードは、排出部１７から画像が形成された用紙Ｐを画像形成装置１００の外部へ排出するモードである。
【００３６】
また、記憶部６２の履歴データには、第１ジョブのジョブ名に対応付けて、第１ジョブのデフォルト設定に対して変更された変更設定が更に記録されてもよい。
【００３７】
記憶部６２の履歴データには、第１ジョブのデフォルト設定に対して変更された変更設定および第１ジョブを入力したユーザーの識別データが更に記録されてもよい。
【００３８】
処理部６１は、履歴制御部６１１と、第１特定部６１２と、第２特定部６１３と、第３特定部６１４と、警告制御部６１５と、制限部６１６とを含む。本実施形態において、処理部６１が、記憶部６２に格納された制御プログラムを実行することによって、制御プログラムが、履歴制御部６１１と、第１特定部６１２と、第２特定部６１３と、第３特定部６１４と、警告制御部６１５と、制限部６１６との機能を実現する。
【００３９】
履歴制御部６１１は、記憶部６２に履歴データを記録する。具体的には、履歴制御部６１１は、受付部４２を介して入力されたジョブおよびジョブの設定を履歴データに記録する。更に、履歴制御部６１１は、記憶部６２から履歴データを読み出す。履歴制御部６１１は、「記録部」の一例である。
【００４０】
ここで、履歴データは、受付部４２を介して入力された第１ジョブのジョブ名と、第１ジョブが完了する前に第１ジョブをキャンセルしたキャンセル操作と、キャンセル操作後に第１ジョブを再設定した再設定操作とが対応付けられている。
【００４１】
以下では、ユーザーが過去に実行したジョブのジョブ名を第１ジョブ名という。一方、ユーザーが新たに実行するジョブのジョブ名を第２ジョブ名という。また、各ジョブのデフォルト設定を変更する設定を変更設定という。
【００４２】
更に、履歴制御部６１１は、履歴データに、第１ジョブのジョブ名に対応付けて、第１ジョブを入力したユーザーの識別データを更に記録してもよい。
【００４３】
また、履歴制御部６１１は、履歴データに、第１ジョブのジョブ名に対応付けて、第１ジョブに含まれる複数の動作モードのうちのキャンセル操作に対応する１つの動作モードを更に記録してもよい。
【００４４】
また、履歴制御部６１１は、履歴データに、第１ジョブのジョブ名に対応付けて、第１ジョブのデフォルト設定に対して変更された変更設定を更に記録してもよい。
【００４５】
また、履歴制御部６１１は、履歴データに、第１ジョブのジョブ名に対応付けて、第１ジョブのデフォルト設定に対して変更された変更設定および第１ジョブを入力したユーザーの識別データを更に記録してもよい。
【００４６】
第１特定部６１２は、受付部４２に入力されたジョブおよびジョブの設定に基づいて、履歴データの中からデータを特定する。更に、第１特定部６１２は、履歴データの中から、キャンセル操作の回数を特定してもよい。なお、第１特定部６１２は、「特定部」の一例である。
【００４７】
更に、第１特定部６１２は、履歴データの中から、第２ジョブと同じジョブ名の第１ジョブのジョブ名に対応付けられた再設定操作を特定する。
【００４８】
また、第１特定部６１２は、受付部４２を介して第２ジョブが入力された場合、履歴データの中から、第２ジョブと同じジョブ名の第１ジョブのジョブ名、かつ、第２ジョブを入力したユーザーの識別データと同一の識別データに対応づけられた再設定操作を特定する。
【００４９】
また、第１特定部６１２は、受付部４２を介して第２ジョブが入力された場合、履歴データの中から、第２ジョブのジョブ名と同一の第１ジョブのジョブ名、再設定操作および１つの動作モードを特定する。
【００５０】
また、第１特定部６１２は、受付部４２を介して第２ジョブの設定が入力された場合、履歴データの中から、第２ジョブのデフォルト設定に対する変更設定が第１ジョブのデフォルト設定に対する変更設定と一致することを特定してもよい。
【００５１】
また、第１特定部６１２は、受付部４２を介して第２ジョブの設定が入力された場合、履歴データの中から、第２ジョブのデフォルト設定に対する変更設定が第１ジョブのデフォルト設定に対する変更設定と一致することを特定する。更に第１特定部６１２は、第２ジョブと同じジョブ名の第１ジョブのジョブ名に対応付けられた再設定操作を特定してもよい。
【００５２】
また、第１特定部６１２は、受付部４２を介して第２ジョブの設定が入力された場合、履歴データの中から、第２ジョブを入力したユーザーの識別データと同一の識別データに対応づけられた再設定操作がなかったことを判定する。
【００５３】
第２特定部６１３は、受付部４２を介して入力されたキャンセル操作のタイミングに対応する、第１ジョブに含まれる複数の動作モードのうちの１つの動作モードを特定する。
【００５４】
第３特定部６１４は、原稿検出部３２から受信した検出信号に基づいて、原稿Ｒが原稿トレイ３１に設置されたタイミングを特定する。
【００５５】
警告制御部６１５は、第１特定部６１２によって特定されたデータに基づいて警告を報知する。具体的には、警告制御部６１５は、第１特定部６１２によって特定された再設定操作の内容に基づいて、警告メッセージを表示するように表示部４１を制御する。なお、表示部４１および警告制御部６１５は、「警告部」の一例である。
【００５６】
更に、警告制御部６１５は、第１特定部６１２によって特定された再設定操作と１つの動作モードとに基づいて、警告を報知してもよい。
【００５７】
また、警告制御部６１５は、第１特定部６１２が、履歴データについて、第２ジョブを入力したユーザーの識別データと同一の識別データに対応づけられた再設定操作がなかったことを判定した場合は、ユーザーが原稿を原稿トレイ３１に設置したタイミングで所定の警告を報知してもよい。
【００５８】
また、警告制御部６１５は、第１特定部６１２が、履歴データについて、第２ジョブを入力したユーザーの識別データと同一の識別データに対応づけられた再設定操作がなかったことを判定し、かつ、第２ジョブのデフォルト設定に対する変更設定が第１ジョブのデフォルト設定に対する変更設定と一致する場合に、第２ジョブのデフォルト設定を終えたタイミングで特定の警告を報知してもよい。
【００５９】
制限部６１６は、キャンセル操作に基づいて、ユーザーによる入力を制限する。具体的には、制限部６１６は、キャンセル操作に基づいて、第２ジョブおよび第２ジョブの設定のうちの少なくとも一方の入力に関して制限する。本実施形態では、制限部６１６は、キャンセル操作の回数に基づいて、第２ジョブおよび第２ジョブの設定のうちの少なくとも一方の入力の回数を制限するように受付部４２を制御する。また、制限部６１６は、キャンセル操作の回数に基づいて、第２ジョブおよび第２ジョブの設定のうちの少なくとも一方の入力のための操作用の画面を制限して表示するように表示部４１を制御してもよい。
【００６０】
具体的には、制限部６１６は、キャンセル操作に基づいて、回数フラグＦＮと、制限フラグＦＲと、レベルフラグＦＬとの値を制御する。回数フラグＦＮは、同一内容の変更設定の後にキャンセル操作された回数の累積値を格納するフラグである。制限フラグＦＲは、ユーザーによる入力に関して制限する内容を規定するフラグである。レベルフラグＦＬは、制限する内容のレベルを示すフラグである。なお、ユーザーからの入力を制限した場合、その旨を示すメッセージを表示してもよい。
【００６１】
制限部６１６は、例えば、「入力の回数を制限する」場合に、制限フラグＦＲの値を「０」に設定する。更に、制限部６１６は、「画面を制限して表示する」場合に、制限フラグＦＲの値を「１」に設定する。上記の「入力の回数を制限する」および「画面を制限して表示する」の何れかについては、制限フラグＦＲにデフォルト設定される。例えば、制限部６１６は、制限フラグＦＲにデフォルトとして「０」の値を設定する。
【００６２】
「入力の回数を制限する」の具体例としては、制限部６１６は、キャンセル操作の入力回数の累積が１０回に達した場合は、第１所定回数（例えば、１回）、ユーザーからの入力を制限させる。更に、制限部６１６は、キャンセル操作の入力回数の累積が２０回に達した場合は、第２所定回数（例えば、２回）、ユーザーからの入力を制限させる。制限部６１６は、第１所定回数又は第２所定回数の値をレベルフラグＦＬに格納する。
【００６３】
また、「画面を制限して表示する」の具体例としては、制限部６１６は、キャンセル操作の入力回数の累積が１０回に達した場合は、視認が困難なように、変更設定で操作したボタンのサイズを小さく変更して、小型で表示させる。更に、制限部６１６は、キャンセル操作の入力回数の累積が２０回に達した場合は、更に視認が困難なように、変更設定で操作した小型のボタンの色をグレーに変更して表示させる。制限部６１６は、「サイズを小型にする」又は「色をグレーにする」ことを規定する値をレベルフラグＦＬに格納する。
【００６４】
したがって、制限部６１６が、上記の回数フラグＦＮと、制限フラグＦＲと、レベルフラグＦＬとに基づいて、ユーザーによる入力を制限することにより、同じような設定ミスを繰り返すユーザーに対して注意を喚起させるので、誤設定又は誤操作を抑制することが可能となる。
【００６５】
次に、図１〜図７を参照して、第１実施形態に係る画像形成装置１００の機能について説明する。図３は、画像形成装置１００の機能の概要を示す模式図である。図３に示すように、本実施形態では、画像形成装置１００の機能は、履歴データを記録する工程（以下、図３の履歴データを記録する工程を「履歴工程」と称する。）と、新たなジョブを実行する工程（以下、図３の新たなジョブを実行する工程を「新規工程」と称する。）とを有する。なお、本実施形態では、ジョブは、「コピージョブ」とする。
【００６６】
図３に示す履歴工程は、５つの工程から構成される。各工程では、受付部４２がユーザーから設定指示又は操作を受け付ける。５つの工程とは、第１ジョブＡ１と、スタートキーＡ２と、キャンセルキーＡ３と、再設定操作Ａ４と、スタートキーＡ５とである。また、図３に示す新規工程は、３つの工程から構成される。３つの工程とは、第２ジョブＢ１と、スタートキーＢ２と、警告メッセージＢ３とである。
【００６７】
第１ジョブＡ１では、受付部４２がユーザーからジョブの設定を受け付ける。具体的には、受付部４２がユーザーから「コピー」キーの押下を受け付ける。コピージョブの場合は、デフォルトで、例えば「倍率：等倍、集約：なし、部数：１部」の内容で設定される。
【００６８】
スタートキーＡ２では、受付部４２がユーザーから「スタート」キーの押下を受け付ける。キャンセルキーＡ３では、受付部４２がユーザーから「キャンセル」キーの押下を受け付ける。
【００６９】
再設定操作Ａ４では、受付部４２がユーザーからコピージョブに関する設定を受け付ける。例えば、受付部４２がユーザーから、「部数を２にする設定」を受け付ける。
【００７０】
スタートキーＡ５では、受付部４２がユーザーから「スタート」キーの押下を受け付ける。
【００７１】
更に、履歴制御部６１１が、上記の第１ジョブＡ１〜スタートキーＡ５の５つの工程のうち、第１ジョブＡ１の内容を示すデータと、キャンセルキーＡ３を示すデータと、再設定操作Ａ４の内容を示すデータとを履歴データとして記憶部６２に記録する。
【００７２】
また、図３に示す新規工程は、３つの工程から構成される。３つの工程とは、第２ジョブＢ１と、スタートキーＢ２と、警告メッセージＢ３とである。
【００７３】
第２ジョブＢ１では、受付部４２がユーザーからジョブの設定を受け付ける。具体的には、受付部４２がユーザーから「コピー」キーの押下を受け付ける。したがって、本実施形態では、第１ジョブと第２ジョブとは同じジョブである。
【００７４】
スタートキーＢ２の工程は、スタートキーＡ２の工程と同等の工程であるため、説明は省略する。
【００７５】
警告メッセージＢ３では、ユーザーにメッセージを報知する。具体的には、警告メッセージＢ３では、警告制御部６１５が、表示部４１に警告メッセージを表示するよう表示部４１を制御する。
【００７６】
図４は、画像形成装置１００の機能の詳細を示す模式図である。図４は、図３と異なり、２つのより詳細な履歴工程が示されている。更に、新規工程についても、より詳細な工程が示されている。
【００７７】
図４に示す２つの履歴工程は、それぞれ７つの工程から構成される。第１の履歴工程（以下、図４の第１の履歴工程を「履歴Ａ」と称する。）の７つの工程とは、ユーザー識別データＡ１１と、第１ジョブＡ１２と、変更設定Ａ１３と、スタートキーＡ１４と、読取モードでキャンセルキーＡ１５と、（原稿の変更）Ａ１６と、スタートキーＡ１７とである。また、第２の履歴工程（以下、図４の第２の履歴工程を「履歴Ｂ」とも称する。）の７つの工程とは、ユーザー識別データＡ２１と、第１ジョブＡ２２と、変更設定Ａ２３と、スタートキーＡ２４と、出力モードでキャンセルキーＡ２５と、再設定操作Ａ２６と、スタートキーＡ２７とである。
【００７８】
ユーザー識別データＡ１１とユーザー識別データＡ２１とにおいては、それぞれ異なる時刻に、カードリーダー４３が、それぞれのユーザーのユーザー識別データをＩＣカードから読み取る。
【００７９】
第１ジョブＡ１２と第１ジョブＡ２２とにおいては、それぞれ受付部４２がユーザーからジョブの設定を受け付ける。具体的には、受付部４２が、それぞれユーザーから「コピー」キーの押下を受け付ける。なお、コピージョブのデフォルトの設定は、図３を参照して説明した第１ジョブＡ１の工程と同じである。
【００８０】
変更設定Ａ１３と変更設定Ａ２３とにおいては、受付部４２がユーザーからコピージョブに関する設定を受け付ける。変更設定Ａ１３の場合は、例えば、受付部４２がユーザーから、「部数を１０にする設定」を受け付ける。一方、変更設定Ａ２３の場合は、例えば、受付部４２がユーザーから、「部数を１０にし、かつ、集約を４ｉｎ１する設定」を受け付ける。
【００８１】
スタートキーＡ１４とスタートキーＡ２４とについては、図３を参照して説明したスタートキーＡ２と同等の工程であるため、説明は省略する。
【００８２】
読取モードでキャンセルキーＡ１５は、受付部４２がユーザーから「キャンセル」キーの押下を、コピージョブの中の読取モードの期間中に受け付けたことを示す。
【００８３】
出力モードでキャンセルキーＡ２５は、受付部４２がユーザーから「キャンセル」キーの押下を、コピージョブの中の出力モードの期間中に受け付けたことを示す。
【００８４】
（原稿の変更）Ａ１６の工程は、受付部４２がユーザーからの受け付けがないことを示す。但し、「キャンセル」キーの押下の後、再設定操作をすることなくスタートキーＡ１７に移行しているため、原稿の設置に関する変更（以下、原稿の設置に関する変更を「原稿の変更」という。）が行われた可能性がある。すなわち、原稿を取り違えて設置したか、原稿の設置方向を間違えて設置した等を推定することができる。
【００８５】
再設定操作Ａ２６では、受付部４２がユーザーからコピージョブに関する設定を受け付ける。例えば、受付部４２がユーザーから、「部数を５にする設定」を受け付ける。
【００８６】
スタートキーＡ１７とスタートキーＡ２７とについては、図３を参照して説明したスタートキーＡ５と同等の工程であるため、説明は省略する。
【００８７】
また、図４に示す新規工程（以下、図４の新規工程を「新規ａ」と称する。）は、５つの工程から構成される。５つの工程とは、ユーザー識別データＢ１１と、第２ジョブＢ１２と、変更設定Ｂ１３と、スタートキーＢ１４と、警告メッセージＢ１５とである。
【００８８】
ユーザー識別データＢ１１では、カードリーダー４３が、新たにジョブを実行しようとするユーザーのユーザー識別データをＩＣカードから読み取る。
【００８９】
第２ジョブＢ１２については、図３を参照して説明したスタートキーＢ２と同等の工程であるため、説明は省略する。
【００９０】
変更設定Ｂ１３については、変更設定Ａ１３と変更設定Ａ２３と同等の工程であるため、説明は省略する。
【００９１】
スタートキーＢ１４については、図３を参照して説明したスタートキーＢ２と同等の工程であるため、説明は省略する。
【００９２】
警告メッセージＢ１５は、ユーザーに報知されるメッセージである。具体的には、警告制御部６１５が、表示部４１に警告メッセージを表示するよう表示部４１を制御する。
【００９３】
図５は、履歴データの構成例を示すテーブル５００である。履歴データは、画像形成装置１００のジョブが完了する前にユーザーによってキャンセルされた場合に記憶部６２に記録される。履歴データは、少なくとも、第１ジョブ名と再設定操作とが対応づけて記録されている。図５に示すように、本実施形態では、テーブル５００は、第１ジョブ名５０１と、ユーザー識別データ５０２と、変更設定の内容５０３と、動作モード５０４と、再設定操作の内容５０５とが対応付けられている。なお、図５のテーブル５００では、キャンセル操作の図示は省略している。
【００９４】
第１ジョブ名５０１は、ユーザーによってキャンセルされたジョブのジョブ名を示す。
【００９５】
ユーザー識別データ５０２は、第１ジョブ名５０１が示すジョブを実行するユーザーの識別情報を示す。
【００９６】
変更設定の内容５０３は、第１ジョブ名５０１が示すジョブのデフォルト設定に対する変更設定の内容を示す。
【００９７】
動作モード５０４は、第１ジョブ名５０１が示すジョブに含まれる複数の動作モードのうちのキャンセル操作に対応する１つの動作モードを示す。例えば、「コピー」ジョブの動作モード５０４には、「読取モード」と「出力モード」とがある。
【００９８】
再設定操作の内容５０５は、第１ジョブ名５０１が示すジョブのキャンセル後に、ユーザーが受付部４２を介して設定した内容を示す。
【００９９】
図６は、ユーザーが新たに実行するジョブ例を示すジョブ例テーブル６００を示す。ジョブ例テーブル６００は、Ｎｏ．６０１と、第２ジョブ名６０２と、ユーザー識別データ６０３と、変更設定の内容６０４とを含む。第２ジョブ名６０２〜変更設定の内容６０４が入力され、更にスタートキーが押下された時点で、必要に応じて、表示部４１に警告メッセージが報知される。
【０１００】
Ｎｏ．６０１は、ジョブ例の番号を示す。
【０１０１】
第２ジョブ名６０２は、ユーザーが新たに実行するジョブの名称を示す。
【０１０２】
ユーザー識別データ６０３は、第２ジョブ名６０２が示すジョブを実行するユーザーの識別情報を示す。
【０１０３】
変更設定の内容６０４は、第２ジョブ名６０２が示すジョブのデフォルト設定に対する変更設定の内容を示す。
【０１０４】
次に、図５と図６とを参照して、警告制御部６１５が警告メッセージを決定する過程について、具体的に説明する。なお、警告制御部６１５は、履歴データにおいて、第１ジョブ名５０１が「コピー」で、再設定操作の内容５０５が「濃度に関する内容」である場合は、全てのユーザーに共通する事項に規定する。
【０１０５】
図６のＮｏ．１のジョブでは、第２ジョブ名６０２が「コピー」、ユーザー識別データ６０３が「ＣＣＣ」、変更設定の内容６０４が「濃度＋１」である。更に、図５に示すように、履歴データには、再設定操作の内容５０５として「濃度に関する内容」を含む第１ジョブ名５０１が記録されている。警告制御部６１５は、第２ジョブ名６０２が「コピー」のＮｏ．１のジョブについては、変更設定の内容６０４の如何にかかわらず、ユーザー識別データ６０３が「ＣＣＣ」のユーザーに対して、濃度に関する警告メッセージを表示部４１に表示するように表示部４１を制御する。なお、警告制御部６１５は、第２ジョブ名６０２のジョブの変更設定の内容６０４と、第１ジョブ名５０１のジョブの変更設定の内容５０３とが、「濃度に関する内容」で一致する場合に、変更設定の内容６０４と変更設定の内容５０３とが一致する全てのユーザーに対して、濃度に関する警告メッセージを表示部４１に表示するように表示部４１を制御してもよい。
【０１０６】
図６のＮｏ．２のジョブでは、第２ジョブ名６０２が「コピー」、ユーザー識別データ６０３が「ＡＡＡ」、変更設定の内容６０４が「１０部」である。この場合、履歴データの構成例を示すテーブル５００を参照すると、履歴データの中に、第１ジョブ名５０１が「コピー」、ユーザー識別データ５０２が「ＡＡＡ」、変更設定の内容５０３が「１０部」、再設定操作の内容５０５が「−」の履歴データが存在する。したがって、この場合、警告制御部６１５は、例えば、「原稿の置き直し等の原稿に関する設定の修正を行うためにキャンセル操作を行ったと推定」する。そして、警告制御部６１５は、例えば、「原稿は、あっていますか？」等の警告メッセージを表示部４１に表示するように表示部４１を制御する。
【０１０７】
図６のＮｏ．３のジョブでは、第２ジョブ名６０２が「コピー」、ユーザー識別データ６０３が「ＢＢＢ」、変更設定の内容６０４が「１０部」である。この場合、履歴データの構成例を示すテーブル５００を参照しても、履歴データの中には、Ｎｏ．３と一致するジョブは存在しない。したがって、この場合、警告制御部６１５は、警告メッセージの表示はしない。
【０１０８】
図６のＮｏ．４のジョブでは、第２ジョブ名６０２が「コピー」、ユーザー識別データ６０３が「ＢＢＢ」、変更設定の内容６０４が「１０部、４ｉｎ１」である。この場合、履歴データの構成例を示すテーブル５００を参照すると、履歴データの中に、第１ジョブ名５０１が「コピー」、ユーザー識別データ５０２が「ＢＢＢ」、変更設定の内容５０３が「１０部、４ｉｎ１」で一致する第１ジョブが２つある。一方の再設定操作の内容５０５が「５部」である。他方の再設定操作の内容５０５が「２ｉｎ１」である。したがって、この場合、警告制御部６１５は、例えば、「部数、集約は、あっていますか？」等の警告メッセージを表示部４１に表示するように表示部４１を制御する。なお、警告制御部６１５は、変更設定の内容５０３が一致する第１ジョブが複数ある場合は、直近の変更設定の内容５０３に対応する再設定操作の内容５０５に関する警告メッセージを表示部４１に表示するように表示部４１を制御してもよい。
【０１０９】
図７（ａ）は、警告画面７００の一例を示す図である。警告画面７００は、第１例の警告メッセージ７０１Ａを含む。
【０１１０】
警告画面７００は、警告メッセージ欄７０１と、戻るボタン７０２と、次へボタン７０３とを含む。警告メッセージ欄７０１には、警告メッセージ７０１Ａが表示される。戻るボタン７０２は、前画面に移動するためのボタンである。次へボタン７０３は、次画面に移動するためのボタンである。
【０１１１】
警告メッセージ７０１Ａは、図５および図６を参照して説明したように、第２ジョブを実行するユーザーに共通で報知する警告メッセージである。
【０１１２】
図７（ｂ）は、第２例の警告メッセージ７０１Ｂを示す。図５および図６を参照して説明したように、キャンセル操作の後の再設定操作の内容の記録がない場合は、原稿の置き直し等の原稿に関する設定の修正を行うためにキャンセル操作を行ったもの推定される。このように推定される場合、警告制御部６１５は、警告メッセージ７０１Ｂのように、原稿についてユーザーに注意を促す警告メッセージを表示するように表示部４１を制御する。
【０１１３】
図７（ｃ）は、第３例の警告メッセージ７０１Ｃを示す。図５および図６を参照して説明したように、警告メッセージ７０１Ｃは、複数の再設定操作を未然に回避するために、ユーザーに注意を促す。
【０１１４】
次に、図８〜図１０を参照して、履歴データ記録処理と、誤操作抑制処理と警告メッセージ決定処理とについて説明する。履歴データ記録処理は、ユーザーによってキャンセルされたジョブの履歴データを記憶部６２に記録する。誤操作抑制処理は、ユーザーの誤操作を抑制する。警告メッセージ決定処理は、表示部４１に表示する警告メッセージを決定する。
【０１１５】
図８は、履歴データ記録処理を示すフローチャートである。履歴データ記録処理は、ステップＳ２〜ステップＳ１８によって実行される。
【０１１６】
ステップＳ２：カードリーダー４３は、ＩＣカードから、画像形成装置１００のユーザーを識別するためのユーザー識別データを読み取る。処理は、ステップＳ４に進む。
【０１１７】
ステップＳ４：受付部４２は、ユーザーから第１ジョブの設定を受け付ける。処理は、ステップＳ６に進む。
【０１１８】
ステップＳ６：受付部４２は、第１ジョブに対する変更設定を受け付ける。具体的には、受付部４２は、第１ジョブのデフォルト設定に対する変更設定を受け付ける。処理は、ステップＳ８に進む。
【０１１９】
ステップＳ８：受付部４２は、スタートキーを受け付ける。処理は、ステップＳ１０に進む。
【０１２０】
ステップＳ１０：受付部４２は、キャンセルキーを受け付ける。処理は、ステップＳ１２に進む。
【０１２１】
ステップＳ１２：制御部６は、キャンセルキーが押下された時点の動作モードを特定する。具体的には、制御部６は、キャンセルキーが押下されることによって中止された第１ジョブのうち、どの動作モードであるかを特定する。処理は、ステップＳ１４に進む。
【０１２２】
ステップＳ１４：受付部４２は、再設定操作を受け付ける。処理は、ステップＳ１６に進む。
【０１２３】
ステップＳ１６：受付部４２は、スタートキーを受け付ける。再設定操作の内容で第１ジョブが実行される。処理は、ステップＳ１８に進む。
【０１２４】
ステップＳ１８：履歴制御部６１１は、履歴データを記憶部６２に記録する。具体的には、履歴制御部６１１は、第１ジョブ名５０１、ユーザー識別データ５０２と、変更設定の内容５０３と、動作モード５０４と、再設定操作の内容５０５とを対応付けて記憶部６２に記録する。処理は終了する。
【０１２５】
図９は、画像形成装置１００で実行される警告メッセージ表示処理を示すフローチャートである。警告メッセージ表示処理は、ステップＳ１００〜ステップＳ１１０によって実行される。
【０１２６】
ステップＳ１００：受付部４２は、ユーザー識別データと、第２ジョブと、変更設定とを受け付ける。更に、原稿Ｒが原稿トレイ３１に設置される。処理は、ステップＳ１０２に進む。
【０１２７】
ステップＳ１０２：履歴制御部６１１は、履歴データを読み出す。処理は、ステップＳ１０４に進む。
【０１２８】
ステップＳ１０４：受付部４２は、スタートキーを受け付ける。処理は、ステップＳ１０６に進む。
【０１２９】
ステップＳ１０６：第１特定部６１２は、履歴データの中に、第２ジョブと一致する第１ジョブがあるか否かを判定する。第２ジョブと一致する第１ジョブがあると第１特定部６１２が判定した場合は（ステップＳ１０６でＹｅｓ）、処理は、ステップＳ１０８に進む。第２ジョブと一致する第１ジョブがないと第１特定部６１２が判定した場合は（ステップＳ１０６でＮｏ）、処理は、ステップＳ１１０に進む。
【０１３０】
ステップＳ１０８：処理部６１は、「警告メッセージ決定処理」を実行する。処理は、ステップＳ１１０に進む。
【０１３１】
ステップＳ１１０：制御部６は、第２ジョブを実行する。処理は終了する。
【０１３２】
図１０は、図９に示す誤操作抑制処理の中で実行される「警告メッセージ決定処理」を示すフローチャートである。警告メッセージ決定処理は、ステップＳ２００〜ステップＳ２１２によって実行される。
【０１３３】
ステップＳ２００：第１特定部６１２は、第２ジョブの変更設定の内容６０４が、ユーザー全般に共通する内容か否かを判定する。第２ジョブ又は第２ジョブの変更設定がユーザーに共通の事項であると第１特定部６１２が判定した場合は（ステップＳ２００でＹｅｓ）、処理は、ステップＳ２０２に進む。第２ジョブ又は第２ジョブの変更設定がユーザーに共通の事項でないと第１特定部６１２が判定した場合は（ステップＳ２００でＮｏ）、処理は、ステップＳ２０６に進む。
【０１３４】
ステップＳ２０２：警告制御部６１５は、表示部４１に「ＸＸＸの設定は、あっていますか？」等の警告メッセージを表示するように表示部４１を制御する。具体的には、「濃度の設定は、あっていますか？」の警告メッセージを表示するように表示部４１を制御する。処理は、ステップＳ２０４に進む。
【０１３５】
ステップＳ２０４：受付部４２は、再設定操作およびスタートキーを受け付ける。処理は、終了する。
【０１３６】
ステップＳ２０６：第１特定部６１２は、履歴データの中に第２ユーザーと一致する第１ユーザーのデータがあるか否かを判定する。履歴データの中に第２ユーザーと一致する第１ユーザーのデータがあると第１特定部６１２が判定した場合は（ステップＳ２０６でＹｅｓ）、処理は、ステップＳ２０８に進む。履歴データの中に第２ユーザーと一致する第１ユーザーのデータがないと第１特定部６１２が判定した場合は（ステップＳ２０６でＮｏ）、処理は終了する。
【０１３７】
ステップＳ２０８：第１特定部６１２は、第２ジョブの変更設定と、第１ジョブの変更設定とが一致するか否かを判定する。第２ジョブの変更設定と、第１ジョブの変更設定とが一致すると第１特定部６１２が判定した場合は（ステップＳ２０８でＹｅｓ）、処理は、ステップＳ２１０に進む。第２ジョブの変更設定と、第１ジョブの変更設定とが一致しないと第１特定部６１２が判定した場合は（ステップＳ２０８でＮｏ）、処理は終了する。
【０１３８】
ステップＳ２１０：第２特定部６１３は、キャンセルキーが押下されたタイミングに対応する、第１ジョブの複数の動作モード又は１つの動作モードを特定する。キャンセルキーが押下されたタイミングに対応する動作モードを第２特定部６１３が、１つ特定した場合は（ステップＳ２１０で「１つ」）、処理は、ステップＳ２１２に進む。キャンセルキーが押下されたタイミングに対応する動作モードを第２特定部６１３が、複数特定した場合は（ステップＳ２１０で「複数」）、処理は、ステップＳ２１４に進む。
【０１３９】
ステップＳ２１２：警告制御部６１５は、特定された動作モードの再設定操作の内容５０５に対応する警告メッセージを表示するように表示部４１を制御する。処理は、ステップＳ２０４に進む。
【０１４０】
ステップＳ２１４：警告制御部６１５は、特定された複数の動作モードに対応する再設定操作の内容５０５に関する警告メッセージを表示するように表示部４１を制御する。処理は、ステップＳ２０４に進む。
【０１４１】
以上のように、本実施形態の画像形成装置１００によれば、過去のジョブでキャンセル操作の後に設定した再設定操作に基づいてユーザーに警告する。したがって、ユーザーは、予め再設定操作が必要になる状況か否かの認知が可能となる。その結果、ユーザーは、誤設定又は誤操作を抑制することができる。
【０１４２】
（第２実施形態）
次に、図１１を参照して、本実施形態に係る誤操作抑制処理について説明する。第１実施形態では、スタートキーが押下された後に「警告メッセージ」を表示させたが、本実施形態では、スタートキーの押下される前に「警告メッセージ」を表示させた点が異なる。図１１は、本実施形態の誤操作抑制処理を示すフローチャートである。
【０１４３】
図１１は、画像形成装置１００で実行される警告メッセージ表示処理を示すフローチャートである。警告メッセージ表示処理は、ステップＳ３００〜ステップＳ３１４によって実行される。
【０１４４】
ステップＳ３００：受付部４２は、ユーザー識別データと、第２ジョブと、変更設定とを受け付ける。更に、原稿Ｒが原稿トレイ３１に設置される。処理は、ステップＳ３０２に進む。
【０１４５】
ステップＳ３０２：履歴制御部６１１は、履歴データを読み出す。処理は、ステップＳ３０４に進む。
【０１４６】
ステップＳ３０４：第１特定部６１２は、原稿に関する警告の必要があるか否かを判定する。原稿に関する警告の必要があると第１特定部６１２が判定した場合は（ステップＳ３０４でＹｅｓ）、処理は、ステップＳ３０６に進む。原稿に関する警告の必要がないと第１特定部６１２が判定した場合は（ステップＳ３０４でＮｏ）、処理は、ステップＳ３０８に進む。
【０１４７】
ステップＳ３０６：警告制御部６１５は、表示部４１に「原稿は、あっていますか？」等の警告メッセージを表示するように表示部４１を制御する。処理は、ステップＳ３０８に進む。
【０１４８】
ステップＳ３０８：第１特定部６１２は、設定に関する警告の必要があるか否かを判定する。設定に関する警告の必要があると第１特定部６１２が判定した場合は（ステップＳ３０８でＹｅｓ）、処理は、ステップＳ３１０に進む。設定に関する警告の必要がないと第１特定部６１２が判定した場合は（ステップＳ３０８でＮｏ）、処理は、ステップＳ３１２に進む。
【０１４９】
ステップＳ３１０：警告制御部６１５は、表示部４１に「ＸＸＸの設定は、あっていますか？」等の警告メッセージを表示するように表示部４１を制御する。処理は、ステップＳ３１２に進む。
【０１５０】
ステップＳ３１２：受付部４２は、変更設定およびスタートキーを受け付ける。処理は、終了する。
【０１５１】
ステップＳ３１４：制御部６は、第２ジョブを実行する。処理は終了する。
【０１５２】
以上のように、第２実施形態の画像形成装置１００によれば、過去のジョブでキャンセル操作の後に設定した再設定操作に基づいて、原稿を設置した時点で関する警告メッセージを報知し、又は変更設定を終えた時点で変更設定に関する警告メッセージをユーザーに報知する。したがって、ユーザーは、スタートキーの押下前のより早い段階で再設定操作が必要になる状況か否かの認知か可能になる。その結果、ユーザーは、より早期の段階で誤設定又は誤操作を抑制することができる。
【０１５３】
（第３実施形態）
次に、図２、図１２および図１３を参照して、本実施形態に係る入力制限処理について説明する。図１１を参照して説明した第２実施形態では、スタートキーの押下前に警告メッセージを表示させたが、本実施形態では、スタートキーの押下前のユーザーによる入力を制限させた点が異なる。
【０１５４】
図１２（ａ）は、第３実施形態のメッセージ画面４１０の一例を示す図である。メッセージ画面４１０は、制限メッセージ４１１と、戻るボタン４１２とを含む。制限メッセージ４１１は、制限部６１６が、ユーザーからの入力を制限した場合に表示部４１に表示させるメッセージである。戻るボタン４１２は、前画面に移動するためのボタンである。
【０１５５】
図１２（ｂ）は、第３実施形態の制限表示画面４２０の一例を示す図である。制限表示画面４２０は、タイトル４２１と、２ｉｎ１ボタン４２２と、４ｉｎ１ボタン４２３ａおよび４ｉｎ１ボタン４２３ｂと、８ｉｎ１ボタン４２４と、解除ボタン４２５と、ＯＫボタン４２６とを含む。制限表示画面４２０は、制限部６１６が、ユーザーからの入力に関して制限する場合に表示部４１に表示させる画面である。なお、４ｉｎ１ボタン４２３ａおよび４ｉｎ１ボタン４２３ｂの総称を「４ｉｎ１ボタン４２３」とする。
【０１５６】
ここで、４ｉｎ１ボタン４２３ａについて説明する。図１２（ｂ）において、２点鎖線で示す４ｉｎ１ボタン４２３ａは、４ｉｎ１ボタン４２３ｂに変化する前のボタンである。すなわち、４ｉｎ１ボタン４２３は、元々、２ｉｎ１ボタン４２２又は８ｉｎ１ボタン４２４と同じ大きさおよび同じ色の形態を有していた。ところが、４ｉｎ１ボタン４２３ａを含む変更設定の後に、所定の回数を超えるキャンセル操作がされたことにより、制限部６１６によって、４ｉｎ１ボタン４２３ａから４ｉｎ１ボタン４２３ｂにボタンの形態が変更されたものである。
【０１５７】
タイトル４２１は、ジョブに関する設定変更の種類を示す。具体的には、タイトル４２１は、コピージョブの設定変更のうち、「集約」に関する設定変更であることを示す。２ｉｎ１ボタン４２２は、２枚の原稿を１枚の用紙に集約するためのボタンである。４ｉｎ１ボタン４２３は、４枚の原稿を１枚の用紙に集約するためのボタンである。なお、４ｉｎ１ボタン４２３ｂは、他の２ｉｎ１ボタン４２２および８ｉｎ１ボタン４２４より小さく、かつ、暗い色で表示されている。すなわち、４ｉｎ１ボタン４２３ｂは、視認が困難な制限表示で表示されている。８ｉｎ１ボタン４２４は、８枚の原稿を１枚の用紙に集約するためのボタンである。解除ボタン４２５は、設定した内容を解除するためのボタンである。ＯＫボタン４２６は、設定した内容を確定するためのボタンである。
【０１５８】
図１３は、画像形成装置１００で実行される入力制限処理を示すフローチャートである。入力制限処理は、ステップＳ４００〜ステップＳ４１４によって実行される。
【０１５９】
ステップＳ４００：受付部４２は、ユーザー識別データと、第２ジョブと、変更設定とを受け付ける。更に、原稿Ｒが原稿トレイ３１に設置される。処理は、ステップＳ４０２に進む。
【０１６０】
ステップＳ４０２：履歴制御部６１１は、履歴データを読み出す。処理は、ステップＳ４０４に進む。
【０１６１】
ステップＳ４０４：制限部６１６は、ユーザーの入力について制限する内容を特定する。図２を参照して説明したように、具体的には、制限部６１６は、制限フラグＦＲの値と、レベルフラグＦＬの値とに基づいて、制限する内容を特定する。処理は、ステップＳ４０６に進む。
【０１６２】
ステップＳ４０６：制限部６１６は、制限フラグＦＲの値に基づいて、ユーザーの入力について制限する内容を判定する。制限フラグＦＲの値が「０」であると制限部６１６が判定した場合は（ステップＳ４０６で「回数」）、処理は、ステップＳ４０８に進む。制限フラグＦＲの値が「１」であると制限部６１６が判定した場合は（ステップＳ４０６で「表示」）、処理は、ステップＳ４１２に進む。制限フラグＦＲの値が「０および１の何れでもない」と制限部６１６が判定した場合は（ステップＳ４０６で「なし」）、処理は、ステップＳ４１４に進む。
【０１６３】
ステップＳ４０８：制限部６１６は、図１２（ａ）を参照して説明したように、その時点で入力が制限されている旨のメッセージを表示する。処理はステップＳ４１０に進む。
【０１６４】
ステップＳ４１０：制限部６１６は、レベルフラグＦＬの値を「１」減らす。処理は終了する。
【０１６５】
ステップＳ４１２：制限部６１６は、レベルフラグＦＬの値に基づいて、第２ジョブ又は変更設定の入力に関する画面について、制限表示をする。処理はステップＳ４１４に進む。
【０１６６】
ステップＳ４１４：制御部６は、第２ジョブを実行する。処理は終了する。
【０１６７】
以上のように、第３実施形態の画像形成装置１００によれば、繰り返し同様の誤設定又は誤操作を繰り返すユーザーに対して、一定回数の入力を制限させ、又は視認が困難な画面を表示させる。これにより、ユーザーは、注意が喚起される。したがって、画像形成装置１００において、誤設定又は誤操作を抑制することが可能となる。
【０１６８】
以上、図面（図１〜図１３）を参照しながら本発明の実施形態を説明した。但し、本発明は、上記の実施形態に限られるものではなく、その要旨を逸脱しない範囲で種々の態様において実施することが可能である（例えば、下記に示す（１）、（２））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【０１６９】
（１）本発明の実施形態では、電子機器が画像形成装置である場合について説明したが、電子機器は画像形成装置に限定されない。例えば、電子機器が、スマートフォン、タブレット型コンピューター、ＣＤプレイヤー、ＤＶＤプレイヤー、および、各種家電機器のような電子機器でもよい。更に、電子機器が、複写機又はスキャン装置のような事務用の電子機器でもよい。
【０１７０】
（２）また、本発明は、本発明に係る電子機器の特徴的な構成手段をステップとする誤操作抑制方法として実現したり、それらのステップを包含する制御プログラムとして実現したりすることもできる。また、そのプログラムは、ＣＤ−ＲＯＭ等の記録媒体や通信ネットワーク等の伝送媒体を介して流通させることもできる。
【産業上の利用可能性】
【０１７１】
本発明は、電子機器の分野に利用可能である。
【符号の説明】
【０１７２】
１００    画像形成装置（電子機器）
３２      原稿検出部
４        入出力部
４１      表示部（警告部）
４２      受付部（入力部）
４３      カードリーダー（読取部）
５        通信部
６        制御部
６１      処理部
６１１    履歴制御部（記録部）
６１２    第１特定部（特定部）
６１３    第２特定部
６１４    第３特定部
６１５    警告制御部（警告部）
６１６    制限部
６２      記憶部（記録部）
【図１】
2020078013.tif 000003
【図２】
2020078013.tif 000004
【図３】
2020078013.tif 000005
【図４】
2020078013.tif 000006
【図５】
2020078013.tif 000007
【図６】
2020078013.tif 000008
【図７】
2020078013.tif 000009
【図８】
2020078013.tif 000010
【図９】
2020078013.tif 000011
【図１０】
2020078013.tif 000012
【図１１】
2020078013.tif 000013
【図１２】
2020078013.tif 000014
【図１３】
2020078013.tif 000015